(57)【要約】【課題】  本発明は、頭巾を被り、手動操作により短時間に亘り酸素を供給して酸欠の危害を未然に防止することを目的としたものである。【解決手段】  この発明は、頭部及び顔面など、首より上部を全部覆うことができる頭巾であって、外気流入防止手段を備え、少なくとも顔面は透明材で構成され、前記頭巾内に酸素を供給すべく、酸素発生物質を要件とする酸素発生手段を備えたことを特徴とする携帯用防護面により目的を達成した。【選択図】      図１
2004329882.tif 000002
【特許請求の範囲】
【請求項１】
外気流入防止手段を備え、かつ顔面を覆うマスク本体に、酸素発生手段を有する酸素発生器を組み合せたことを特徴とする携帯用防護面。
【請求項２】
頭部及び顔面など、首より上部を全部覆うことができる頭巾であって、外気流入防止手段を備え、少なくとも対面部は透明材で構成され、前記頭巾内に酸素を供給すべく、酸素発生手段を有する酸素発生器を備えたことを特徴とする携帯用防護面。
【請求項３】
外気流入防止手段は、酸素発生手段により、酸素を発生させ、前記頭巾内の気圧を、外気より高くして外気の流入を防止できるようにしたことを特徴とする請求項１又は２記載の携帯用防護面。
【請求項４】
酸素発生手段は、化学的に酸素を発生させることができる複数の物質を別々に収容し、前記複数の物質を接触させて酸素を発生させることを特徴とした請求項１又は２記載の携帯用防護面。
【請求項５】
酸素発生手段は、液体容器と、液体と化合して酸素を発生する酸素発生物質容器と、化学的に酸素を発生させることができる複数の物質を接触させる接触手段としたことを特徴とする請求項１又は２記載の携帯用防護面。
【請求項６】
マスク本体と、酸素発生器は、着脱可能に組み合せたことを特徴とする請求項１又は２記載の携帯用防護面。
【請求項７】
酸素発生器は、ケースの内部に化学的に酸素を発生させることができる複数の物質の収容手段と、前記物質の接触手段と、発生した酸素のマスク本体内への供給手段とを備えたことを特徴とする請求項１又は２記載の携帯用防護面。
【請求項８】
接触手段は、液体容器と、酸素発生物質容器とを連通させ、又は複数の物質の夫々の収容手段を連通させるようにしたことを特徴とする請求項５記載の携帯用防護面。
【請求項９】
頭巾はその一部を液体の収容パイプで構成し、頭巾の対面部を透明材で構成し、前記収容パイプを連通させたことを特徴とする請求項２記載の携帯用防護面。
【発明の詳細な説明】
【技術分野】
【０００１】
この発明は、有毒ガスの発生時などに、短時間の間、有毒ガスの吸入（呼吸）を防止し、酸素を吸入できるようにすることを目的とした携帯用防護面に関する。
【背景技術】
【０００２】
従来の防毒を目的とする防毒面は固いものが多く、外部の空気を完全に遮断する密閉用マスクで重く大きく、着用もまた容易でないし、有毒ガスを除去できる吸着フィルター装置のみ付着されていた。
【０００３】
また、酸素が供給される専門家用防毒面は、重い酸素容器を別途につないだホースを通じてマスクの内部に酸素が流れるようにして使用するものはあるが、化学反応で発生する酸素が簡単にマスクの内部に流れるようにして使用し、安価で、簡易に携帯が便利な一般人用のマスク類は知られていない。
【０００４】
そして、化学的な酸素発生装置のマスクは、医療用として口と鼻に密着させて使用するものはあるが、非常用として使用する一回用防毒マスクと直接結合した簡易器具用に製品開発されたものは知られていない。一般的な防毒面は価格が高い難燃性又は不燃性原材料を使用している。
【特許文献１】実公平６−２１４９６
【発明の開示】
【発明が解決しようとする課題】
【０００５】
従来公知の考案は、鼻及び口を覆い、ここに酸素を供給するようにしたものであるが、頭部保護とか、有毒ガスが頭部に付着するのを防止する為とか、頭巾内へ有毒ガスが流入するのを防止する為に、頭巾内の気圧を上昇するような配慮は一切ないし、簡易マスクとして短時間顔面を覆い、かつ酸素が供給できる携帯用防護面でもないなどの問題点があった。
【０００６】
また、従来の防毒マスクは、専門知識を持っている者か、訓練を受けた人のみ着用が可能であるが、大きく重く、携帯及び保管が不便なことは勿論、比較的に価格が高くて一般人が手に入れるのが難しい問題点がある。
【０００７】
一般防毒面は、外部の空気を完全に遮断する為に、外気と密閉しなければならないので、着用がめんどうであるが、本発明の装置は、極めて簡単な操作で、発生する酸素が頭の全体にかぶさる頭巾の内部又はマスク本体の内部に入り、次いで酸素呼吸ができる役割と同時に頭巾内部の圧力が上がって、頭巾内部の空気が頭巾の着用隙間を通って外部に漏れる事になる。
【０００８】
即ち、頭巾の内部を若干高い圧力に保つので、外部の有毒性の空気の流入を自動的に遮断することができる。
【０００９】
また、頭巾の着用が簡単で、操作も単純であり、男女老少が特別の訓練なしで非常の時期に容易に着用できる。また、構造が簡単で、普通の材料を使用するが、不燃性の効果が大きい製品にすることができる。
【００１０】
次に短時間（例えば３分〜１０分間）の酸素供給ならば、顔面を覆うマスク本体と酸素発生器とを組み合せた防護面でも十分目的を達成することができる。
【００１１】
更に、製作価格が極めて安くなり、広く供給することができるので、一般人の非常時の際、命の安全確保に大きく貢献することができる。
【課題を解決するための手段】
【００１２】
本発明の１つは、頭部及び顔面をすっぽり覆う頭巾に酸素発生手段を組み合せ、他の１つは、顔面を覆うマスク本体と、酸素発生手段を組み合せたので、簡単容易に瞬時の危害を防止し、短時間の安全を確保して前記従来の問題点を解決したのである。
【００１３】
即ち本発明は、外気流入防止手段を備え、かつ顔面を覆うマスク本体に、酸素発生手段を有する酸素発生器を組み合せたことを特徴とする携帯用防護面であり、頭部及び顔面など、首より上部を全部覆うことができる頭巾であって、外気流入防止手段を備え、少なくとも対面部は透明材で構成され、前記頭巾内に酸素を供給すべく、酸素発生手段を有する酸素発生器を備えたことを特徴とする携帯用防護面である。
【００１４】
また他の発明は、外気流入防止手段は、酸素発生手段により、酸素を発生させ、前記頭巾内の気圧を、外気より高くして外気の流入を防止できるようにしたものであり、酸素発生手段は、化学的に酸素を発生させることができる複数の物質を別々に収容し、前記複数の物質を接触させて酸素を発生させるものであり、酸素発生手段は、液体容器と、液体と化合して酸素を発生する酸素発生物質容器と、化学的に酸素を発生させることができる複数の物質を接触させる接触手段としたものである。
【００１５】
次に他の発明は、マスク本体と、酸素発生器は、着脱可能に組み合せたものであり、酸素発生器は、ケースの内部に化学的に酸素を発生させることができる複数の物質の収容手段と、前記物質の接触手段と、発生した酸素のマスク本体内への供給手段とを備えたものである。
【００１６】
更に他の発明の接触手段は、液体容器と、酸素発生物質容器とを連通させ、又は複数の物質の夫々の収容手段を連通させるようにしたものであり、頭巾はその一部を液体の収容パイプで構成し、頭巾の対面部を透明材で構成し、前記収容パイプを連通させたものである。
【００１７】
前記において、発生した酸素は、頭を保護する頭巾の内部に流入されることになり、ほとんど外部と隔離された袋の中でも呼吸が可能になる。
【００１８】
頭の全体をかぶせる頭巾は、普通の防毒面と違って密閉をしなくてもよい。即ち、発生する酸素によって頭巾の内部の圧力が上昇し、外部に有毒性のガスが発生しても外部の気圧より高くなって頭巾の内部の空気は外に流出できるが、外部の空気は頭巾の内部に入り難くなる。
【００１９】
従って、頭巾は身体の首の部分にかかる接触部を緩くして、頭巾をそのままかぶせる行動だけで、着用には特別に神経を使う必要はない。
【００２０】
また、携帯を可能とするために頭巾の重さを分散するため液体の物質Ａは頭巾の大部分を包み隠す面積を細い管の模様の状態で液休を薄く平らに貯蔵するようにすれば、頭巾の全休が水溶液のジャケットになる。
【００２１】
水溶液のジャケットは、普通の可燃性ビニールで製造しても、内部に火に燃えない液体が入って強カな不燃性材料を使用したものと同じ効果になる。
【００２２】
安く製作して広く補給する為には、普通の安いビニール材料の空間に、液体が入る薄い水溶液のジャケットの頭巾にすれば十分である。
【００２３】
物質Ｂは液体或いは粉体であって、液体の物質Ａに簡単に混合わせて酸素がすぐ発生するもので、物質Ｂのある場所と細いパイプで繋いである。従って、操作する前は流れないようにして操作すれば、物質Ａが流れて物質Ｂと簡単に混合わさる事にすれば反応が始まる。
【００２４】
酸素発生物質ＡとＢを簡単に混合し易くするために物質Ａがたくさん入っている両側のビニール材料のホースの両端を薄くて破壊し易いアルミホイル等で接着して物質Ｂがあるところに固定させ、ひも等で引っ張れば簡単に破損されるようにする。
【００２５】
物質Ａの流れをよくする為に、空気が流入する事が出来る簡易の一方向排出弁を頭巾の内部に設置する事も出来る。また、発生した酸素と呼吸した空気よりなる頭巾内部の混合空気の圧力が必要以上に上がらないように頭巾の外部に一方向排出弁を設置する事もできる。
【００２６】
酸素発生物質ＡとＢは、混合するとすぐ化学反応して酸素を発生する安くて安全な物質は多数知られているので、その中から選定する。
【００２７】
液体と液体、液体と固体が混合しやすいので、原材料物質として適当であるが、反応すれば、反応速度が早く酸素を発生するよう反応速度調節用触媒物質を使用するか、液体が流れるようにしなければならない。
【００２８】
前記物質Ａは、例えば過酸化水素の水溶液（Ｈ２Ｏ２＋Ｈ２Ｏ）であり、物質Ｂは、例えば次亜塩素酸ソーダ（ＮａＣｌＯ）にすれば安く酸素を作ることもできる。
【００２９】
また、物質Ａを、前記水（Ｈ２Ｏ）とし、物質Ｂを炭酸ナトリウム（Ｎａ２ＣＯ３）＋過酸化水素（Ｈ２Ｏ２）＋触媒（ＭｎＯ２）の混合物とすることもできる。つまり、物質Ａと物質Ｂは使用時間と必要な酸素の発生量を計算して適当な物質と量、濃度、触媒の利用等を決めることができる。
【００３０】
物質Ａは不燃性の効果と化学反応の為液体にならないが、物質Ｂは反応の早い速度と軽い為粉体がよいと思われる。例えば、通水性紙パックとしても使用できる。
【００３１】
本発明の必要な酸素の発生時間は、５分〜１０分程度、酸素の量は５リットル〜１０リットル程度である。
【００３２】
物質Ａは、水又は水溶液３００ｇ〜４００ｇ程度、物質Ｂは、５０ｇ〜１００ｇ程度で頭巾全体の重さが５００ｇ程度になればよい。
【００３３】
防護用頭巾の材料は軟質ビニールシート２枚を高周波接着させて断面が水を入れれば細い管の様になるように直線圧着部と直線圧着部を細かくして、軟質ビニールシートと軟質ビニールシートが作る空間に水か、水溶液をできるだけ薄く平らに分散させて、小さい凹凸があるエアマットレスのような模様になればよい。
【００３４】
頭巾を縦方向に切断して開いた場合に、例えば横が５０ｃｍ、縦が２０ｃｍで、厚さを０．５ｃｍにすれば水が約５００ミリリットル入る。
【００３５】
前記軟質ビニールシートと軟質ビニールシートを接着する線と線の間隔を０．７ｃｍ〜０．８ｃｍぐらい置けば、直径０．５ｃｍぐらいの管状の断面構造になる。酸素発生の効率が高い物質を使用すれば、ある程度長い時間使用できる装置も作ることができる。
【００３６】
頭巾は着用の際密閉ができないように多少緩い状態がよく、頭全体をかぶせる程度の十分な大きさの頭巾にして、頭巾の首部分は着用し易くなるように、緩いゴムの紐を付ければよい。
【００３７】
頭巾を着用した時、目と鼻の対面部分は、前方がよく見えるように、全部又はこの部分のみを透明な材料にしなければならない。
【００３８】
頭巾は折り畳むと小さくなって、必要な時は易しく開けるような柔らかい材料で、引き裂かれないように、適当な強度と厚さを持つ軟質ビニールその他の合成樹脂等が使用できる。
【００３９】
頭巾の使用材料として、高価な難燃性、不燃性の繊維とか、特殊材質を使用しなくても、水溶液のジャケットの効果で十分な不燃性材料になり製造価格を著しく低廉にすることができるが、不燃性又は難燃性材料の使用を妨げるものではない。
【００４０】
本発明は、特殊な材料や物質を使用していないので、原理も簡単で大量生産が可能であり、工業的に安く大量に作ることができるメリットがあって、広く供給できる。折り畳むと小さくなってハンドバッグに入るぐらいの大きさで作ることもできるので、携帯、保管もいいし、非常用器具として大量準備しておくこともできる。
【００４１】
本発明の頭巾は、その構成材料の一部を細管で構成し、ここに物質Ａ（水又は水溶液）を収容するとしているが、前記構成以外の構造もある。要は頭巾内に酸素を発生させるようにし、かつ頭部を保護するようにした点が工夫である。
【００４２】
普通の防毒面とは違って、大きさもフリーサイズで年齢と性別に関係なく共通で着用ができる。
【００４３】
使用材料が安全で変質の心配もないし、長い時間保管も可能で、着用方法と操作方法が極めて簡単であり、更に不燃性で非常用器具として最適な役割を果たすことができる。人が多く集まる密閉した空間、例えば劇場、ホテル、旅館、高層ビル、地下空間、地下鉄、地下施設、酒場等は勿論、一般家庭でも非常用器具として大量に準備しておくことができるし、折り畳むと小さいので、携帯もできるので、不慮の事故、火事、爆発、化学事故の恐怖の時期に緊急脱出ができると共に、特に大事な初期時間を確保することができる。
【００４４】
現在の建造物は、人工材料を多用しているので、火災時に人工材料の燃焼により有毒ガスが発生し、犠牲者は火災よりも有毒ガスに浸され、動けなくなるといわれている。人工材料でなくても、一酸化炭素の発生により、自由を失う場合も少なくないが、本発明により斯かる悲劇を可及的に少なくすることができる。
【００４５】
前記発明は、酸素発生手段として２物質を主体に考えているが、１物質又は小型酸素ボンベのように簡単に酸素を発生できる物に応用することができる。前記は必ずしも頭巾に付属させる必要はなく、頭巾とセットすることもあり得る。例えば、酸素発生物質と、液体とを別包装しておいて、頭巾使用時に入れる方式である。
【発明の効果】
【００４６】
本発明によれば、簡単な操作により２物質を接触させて酸素を発生させるので、頭巾を被った者、又はマスク本体を着用した者は、有毒ガスを吸い込むことなく、安全な場所へ避難できる効果がある。
【００４７】
また頭巾の一部を水等を収容する容器に利用すれば、仮に火災などの際にも頭巾が燃え、又は過熱するおそれがなく、不燃材料と同様の作用を奏する効果がある。
【００４８】
本発明によれば、簡単な構造で簡易に装着できることにより確実に酸素を供給し、人を危険地域から救出できる効果がある。
【００４９】
また、頭巾の内圧は外気圧より必然的に高くなるので、首部などの締め方がゆるくても、内外圧差が保たれ、外気の流入を未然に防止し得る効果がある。本発明においては、酸素発生器を着脱自在に組み合せることにより、頭巾、又はマスク本体を再使用できる効果がある。
【発明を実施するための最良の形態】
【００５０】
本発明は、人体の頭部及び顔面などの首より上部全部を、余裕をもって覆うことができる頭巾（例えば、内容積を人体頭部容積の２倍以上とする）であって、少なくとも顔面の視界部分は透明合成樹脂板（例えばポリカーボネイト、アクリル樹脂など）を用いる。
【００５１】
また、前記頭巾は、例えば軟質ビニール製の二重シートを狭い間隔で熱シールして管状とし、該部に水又は水溶液を収容し、一部で連通すると共に、一箇所の取り出し口に栓をしておけば、この取り出し口から水を出入させることができる。
【００５２】
前記頭巾の外側上部又は下部へ酸素発生物質の容器を取り付け、該容器内の酸素発生物質と、水とを接触させることにより酸素を発生させることができる。前記において、頭巾は紐などにより首へ緩く取り付けてあるので、頭巾の内圧を、外圧より大きくして、外気が頭巾内へ吸い込まれないようにしている。前記のように頭巾内で酸素を発生すれば、自動的に内外圧差を生じ、頭巾内へ外気が流入するおそれはない。
【００５３】
本発明は、緊急の際（例えば火災発生の際）酸欠その他、有毒ガスの吸入により身体の自由を失う危険性を可及的に排除することを目的としたもので、酸素発生継続時間は５分〜１０分で十分であり、酸素濃度が高くなっても短時間の為に障害を生じるおそれはない。
【００５４】
また、前記の外に、マスク本体の外側面開口部の反対側へ、筒状のケースの開口部側を挿入嵌着し、前記ケース内には、２つの仕切板を設けて、液体室と個体室とし、その連通孔を開孔できるようにする。また、ケースの一側壁孔へ送気パイプ付の操作栓を嵌着し、この操作栓を圧入することによって、前記液体と固体を接触させると共に、発生した酸素をマスク本体内へ供給するようにして、この発明の防護面を構成した（図４）。
【実施例１】
【００５５】
本発明の実施例を図面に基づいて説明する。横５０ｃｍ、縦２０ｃｍの軟質ビニールシート１ａ、１ｂを二枚重ね、０．７ｃｍ〜０．８ｃｍ間隔で熱シールし、直径０．５ｃｍ位の管状部２、２を作成し、前記管状部２、２を有するシートで頭部３ａと、周側部３ｂとを連結して、頭巾体３を構成する。頭巾体３の一側開部へ、ポリカーボネイト製の透明板４を設置すると共に、周側部３ｂの下端へ、筒状の首部３ｃの上端を連結して本発明の頭巾５を完成した。図中６は頭部３ａへ取り付けた吊紐、９は首部へ挿通した締紐である。前記頭巾５には、酸素発生物質１８（例えば炭酸ナトリウムＮａ２ＣＯ３＋過酸化水素Ｈ２Ｏ２）を収容した容器８を下部外側に固定してある。
【００５６】
前記実施例において、容器８の紐７を矢示１０の方向へ引っ張ると、容器８内の送水管１４の中央部１４ａが破れ、水が容器内へ散布されるので、内容物に掛かって酸素を発生し、発生した酸素は矢示１１、１２、１３のように、パイプ１７を通過して頭巾５内へ放出される（図１、２、３）。
【００５７】
前記において、紐９を緩く締め、首との間に若干の隙間があっても、頭巾５内の内圧が高い為に外部空気を頭巾５内へ吸入するおそれはない。
【００５８】
前記実施例において、管状部２、２は、上方又は下方で連通しているので、図１のように容器８が低位にあれば内容液は自動的に供給される。
【００５９】
前記実施例の管状部２、２は一例であって、周側壁又は頂壁の一部にあってもよい。或いは別製の液体容器を付属させることもできる。
【００６０】
図２の実施例は、容器８を頭巾５の上部へ取り付けたもので、頭部３ａには水管がないが、作用効果は図１と全く同一である。そこで、周側部３ｂの水管から連結管１４を経て周側壁から容器へ給水される。従って、酸素を発生し、前記のように頭巾５を被った者に酸素を供給する。図中１５は酸素供給パイプ、１６は物質の流れをよくする補助弁、１９は圧力調整弁である。
【００６１】
前記実施例における管状部２、２は一側で連通しており、一寸手で押さえることにより任意量の液体を送水管に送ることができる。
【実施例２】
【００６２】
この発明の他の実施例を図４について説明すると、マスク本体２０の外側面開口部の反対側へ筒状のケース２１の開口部側を挿入嵌着する。
【００６３】
前記筒状のケース２１内には、底板２２に平行に、仕切板２３、２４を設けて、液体室２５と、固体室２６とに区分し、前記仕切板２３には連通孔２７を設けてバルブ２８で閉塞し（スプリング２９で抑える）てある。前記ケース２１の側壁の孔３２には、送気パイプ３０付きの操作栓３１を嵌挿し、操作栓３１の側壁には、前記ケース２１の固体室２６と連通する透孔３３が設けてあり、前記送気パイプ３０の他端はマスク内へ開口している。図中３４はマスク用のバンド、３５は排気パイプ（逆止バルブ付）、３６は安全ロックである。
【００６４】
前記実施例において、安全ロック３６のつまみ３６ａを矢示３７のように引張って外し、操作栓３１を矢示３８のように下方に押すと、紐３９を矢示９４のように引張るので、スプリング２９が外れて、バルブ２８が開く。そこで液体室２５内の液体が矢示４０のように固体室２６に流入して、固体と接触し、酸素を発生する。従って、発生した酸素は操作栓３１の透孔３３を経て操作栓３１の中央孔３１ａを矢示９５のように通り、送気パイプ３０を矢示４１、４２のように通過してマスク本体２０内に入り、装着者に吸入される。
【００６５】
前記実施例において、ケース２１は、マスク本体２０へ嵌着してあるので、これを外して、新しいものと取り換えれば、再使用することができる。図中４３、４４は、仕切板の孔に設けた栓体であって、液体又は固体を収容する時に開ける。前記安全ロック３６が嵌っている間は、不慮の酸素発生はない。
【実施例３】
【００６６】
この発明の他の実施例を図５、６について説明すると、マスク本体４５の一側にケース４６の底壁４６ａ側を嵌着し、ケース４６の口部側へ蓋板４７をねじ蓋４７ａで固定する。該蓋板４７の裏面に環状突条４８、４９を同心円状に突設して環状の粉体室５０と、操作室５１（触媒も入れる）を設け、前記粉体室５０へ蓋板５２を気密に被冠して粉体室５０を密封している。前記蓋板４７を貫通して操作摘み５３が摺動自在に設置され、操作摘み５３の先端凹入部５３ａと、前記蓋板５２の凹入部５２ａとの間にスプリング５４を介装してある。前記ケース４６の側壁の孔９６には操作栓５５が挿脱自在に嵌挿されている。図中１００はスペーサである。
【００６７】
前記実施例において酸素を発生させるには、スペーサ９７を外し操作摘み５３を矢示５６のように押し込むと、蓋板５２が矢示５７のように外れるので、粉体室５０に収容された粉体が、液体室５８に流出し、化学反応して酸素を生成する。
【００６８】
次に操作栓５５を矢示５９のように押し込み、操作栓５５の側壁孔５５ａを液体室５８と連通させると（図５中鎖線図示）、液体室５８内で生成された酸素は矢示６０、６１のように操作栓５５の中央孔５５ｂとパイプ６２を通過し、マスク４５内へ矢示９８のように放出される。図中６３は排気パイプ（逆止弁付）、６４は装着ベルトである。前記スペーサ１００は、操作栓５５をロックしている。
【実施例４】
【００６９】
この発明の他の実施例を図７について説明すると、マスク本体６５に筒状ケース６６の一端部を着脱自在に嵌挿し、かつケース６６へ仕切蓋６８を嵌着すると共に、筒状ケース６６の他端に蓋板６７を冠着し、中央部を仕切壁６９と触媒室７０により、左右に液体室７１と、粉体室７２とを設ける。図中１０１はゴムパッキング、１０２はバンド金具である。
【００７０】
前記触媒室７０には、液体室７１と粉体室７２の連通路を開閉できるバルブ７３を設ける。図中７９は排気弁（逆止弁付）である。
【００７１】
また前記仕切蓋６８の上部に連通孔７４を設け、連通孔７４に開閉バルブ７５をセットし、開閉バルブ７５は筒状ケース６６に設けた操作摘み７６とスプリング７７を介して係止させてある。
【００７２】
前記実施例において、バルブ７３を開いて液体室７１の液体を矢示７８のように触媒室７０を経て粉体室７２に導くと、酸素を発生する。そこで操作摘み７６を矢示９９のように回転すると、バルブ７５が開くので、粉体室７２内に発生した酸素は矢示７８のようにマスク本体６５内へ入る。
【実施例５】
【００７３】
この発明の他の実施例を図８について説明すると、マスク本体８０の一側に筒状ケース８１を嵌着し、該筒状ケース８１内へ連通孔８２ａ付きの台板８２を固定し、台板８２上へ粉体袋８３を載置すると共に、台板８２の下のケース内壁上へ液体粉袋８４を載置する。
【００７４】
前記ケース８１の上部壁へ操作杆８５を昇降自在に取付け、操作杆８５の下部へ門状針８６をセットし、操作杆８５と、ケース８１の外壁との間へスプリング８７を嵌挿する。またケース８１の左右両側には蓋板８８、８９を嵌着し、蓋板８９に通気孔９０を設け、通気孔９０へシール９１を貼着してある。
【００７５】
前記実施例において操作杆８５を、矢示９２のように下圧すると、門状針８６が下降して、固体袋８３と、液体袋８４を切り開くので、固体と液体（粉体）が接触して酸素を発生する。そこでシール９１を剥がせば、発生した酸素は矢示９３のようにマスク８０内へ供給される。
【００７６】
前記実施例において操作杆８５は、スプリング８７によって常時押し上げられているので、門状針８６が意に反して固体袋８３、液体袋８４を刺突するおそれはない。
【図面の簡単な説明】
【００７７】
【図１】本発明の実施例の正面図。
【図２】同じく他の実施例の斜視図。
【図３】（ａ）同じく酸素発生剤容器の一部を破切した拡大斜視図、（ｂ）同じく頭巾の一部断面拡大図。
【図４】同じく他の実施例の一部を省略した斜視図。
【図５】同じく他の実施例の断面図。
【図６】同じく一部を省略した斜視図。
【図７】同じく他の実施例の一部を省略した断面図。
【図８】同じく他の実施例の一部を省略した断面図。
【符号の説明】
【００７８】
１ａ、１ｂ  軟質ビニールシート
２  管状部
３  頭巾体
４  透明板
５  頭巾
７  紐
８  容器
９  紐
２０、４５、６５、８０  マスク本体
２１、４６、６６、８１  ケース
【図１】
2004329882.tif 000003
【図２】
2004329882.tif 000004
【図３】
2004329882.tif 000005
【図４】
2004329882.tif 000006
【図５】
2004329882.tif 000007
【図６】
2004329882.tif 000008
【図７】
2004329882.tif 000009
【図８】
2004329882.tif 000010